(57)【特許請求の範囲】
【請求項１】
第１の通帳を格納する第１のホッパと、第２の通帳を格納する第２のホッパとを有する通帳発行モジュールであって、
通帳の挿入と排出とを行う挿入口と、前記第１のホッパの通帳排出口との間に、前記挿入口側から順に主搬送路と通帳発行搬送路とからなる搬送路が形成されており、
前記主搬送路は、通帳へ印字を行う印字部と、通帳の情報を光学的に読み取る光学読取部と、通帳の磁気データの読み書きを行う磁気データ読み書き部と、が設けられ、
前記通帳発行搬送路は、前記第１のホッパの通帳排出口から水平に繰り出された通帳を前記主搬送路へ搬送するように構成され、
前記主搬送路と前記通帳発行搬送路とは直線状に形成され、前記第１の通帳は前記主搬送路と水平に前記第１のホッパへ格納されており、
前記第２のホッパの排出口と前記第１の搬送路とを接続する屈曲状の第２の搬送路を更に有し、
前記第１のホッパは屈曲搬送が不可能な程度に剛性の高い第１の通帳を格納し、
前記第２のホッパは屈曲搬送が可能な程度に剛性の低い第２の通帳を格納することを特徴とする通帳発行モジュール。
【発明の詳細な説明】
【技術分野】
【０００１】
本発明は、銀行等の金融機関において用いられる自動取引装置に搭載される通帳処理装置に関するものである。
【背景技術】
【０００２】
従来、この種の装置としては特開平10-143717（特許文献１）に記載されているように、通帳発行モジュールの小型化、特に奥行方向の小サイズ化を実現する為、通帳発行機構部を主搬送路の直線延長上に配置せず、主搬送路の上又は下に配置し、Ｒを付けたガイドを用いた屈曲させた搬送路をホッパから主搬送路に接続している。
【０００３】
この構成では、通帳発行時においてホッパにスタックされた通帳を搬送する過程で、通帳を一回以上屈曲させる必要がある。
【０００４】
【特許文献１】特開平10-143717公報
【発明の開示】
【発明が解決しようとする課題】
【０００５】
金融機関で用いられる通帳は、通常、各々の銀行ごとにサイズや仕様（磁気ストライプの形状とその位置、印字位置、ページ数を表すバーコードの位置など）が異なっている。また、海外においては、通帳の材質についても銀行ごとに異なるものが使用される場合もある。中には通帳の材質上、剛性が極めて高いものもある。
【０００６】
上述のように従来の技術では、通帳発行時、通帳発行モジュールの小型化を実現する為、屈曲させた搬送路を搭載しており、ホッパにスタックされた通帳を一回以上屈曲させて搬送している。このため、面外変形によるたわみ力（剛性）が大きい通帳は、搬送時の抵抗がローラの搬送力より大きくなり、通帳の搬送ができなくなる。
本発明の目的は、上記課題を解決し、面外変形によるたわみ力（剛性）が大きい通帳を含めた広範囲な通帳を通帳発行サポートする技術の提供にある。
【課題を解決するための手段】
【０００７】
上記課題を解決するために、本発明では、通帳発行モジュールにおいて、挿入口からホッパまでの主搬送路を屈曲及び傾斜させることなく直線状に構成し、同じくホッパから主搬送路までの搬送路も直線状に保ち、ホッパにスタックされている通帳を主搬送路に水平に搬出する角度で通帳発行機構部を取付けることにより、通帳発行時、ホッパにスタックされた通帳を一度も屈曲させることなく搬送し、通帳発行する。
【発明の効果】
【０００８】
従来の技術では通帳発行がサポートできなかった面外変形によるたわみ力（剛性）が大きい通帳を含む広範囲な通帳が通帳発行サポート可能となり、通帳搬送時の搬送抵抗が少ない為、通帳発行がエラーとなる率が減り、通帳発行性能が向上する。
本発明は課題を解決する為に従来の技術に対して、新たな機構を追加することなく、低価格でコンパクトに課題を解決している。
【発明を実施するための最良の形態】
【０００９】
以下本発明の実施例につき、図面を用いて説明する。なお、これらの図面では挿入・搬送方向と同一の方向に頁を開く通帳（縦開き通帳）で説明しているが、これに限られるものではなく、挿入・搬送方向と垂直方向に頁を開く通帳（横開き通帳）においても本発明の構成は適用可能である。
【実施例１】
【００１０】
図１は本発明の通帳発行モジュールの構成例を示す模式図である。本実施例では、剛性の高く屈曲させた状態では搬送が不可能な通帳と、剛性が低く屈曲させた状態で搬送可能な２種類の通帳をサポート可能な構成例を示している。
【００１１】
図１において、１は取引通帳、２は挿入口、３は挿入口２に接続する屈曲した搬送路及び角度の付いた搬送路を持たない直線状の主搬送路、４は主搬送路３から分岐し、回収箱５に接続する通帳退避路、５は取り忘れ通帳を回収する回収箱、７は主搬送路３から通帳ホッパ１４の通帳排出口までを接続する一直線の通帳発行搬送路である。
【００１２】
８は通帳発行搬送路７から分岐し、通帳ホッパ１５の通帳排出口までを接続する屈曲した通帳発行搬送路、６は主搬送路３から通帳退避路４に分岐する位置に設けられた第１のゲート手段、９は通帳発行搬送路７と通帳発行搬送路８が合流する位置に設けられた第２のゲート手段である。
【００１３】
１０は取引通帳１と新規通帳２１、２３に印字を行う印字部、１１は取引通帳１の頁情報等の情報を光学的に読取を行う光学読取部、２２は取引通帳１と新規通帳２１、２３の磁気データ情報の磁気読取・磁気記録を行う磁気データ読み書き部、１２は取引通帳１の頁めくりを行う頁替部である。
【００１４】
１３は新規に通帳を発行する通帳発行部、１４は新規発行する屈曲した搬送路では搬送できない面外変形によるたわみ力（剛性）が大きい新規通帳２１を表紙を開いた状態で重ね合わせてスタックしておく高剛性通帳用ホッパであり、１５は新規発行する屈曲した搬送路でも搬送可能な面外変形によるたわみ力が小さい新規通帳２３を表紙を開いた状態で重ね合わせてスタックしておく低剛性通帳ホッパである。
【００１５】
１６、２７〜３４は取引通帳１と新規通帳２１、２３をはさんで回転により搬送する搬送ローラで、図示しない駆動モータの回転が、図示しないクラッチ機構、ベルト、ギヤ等の伝達手段を介して伝達される。１８、２４は新規通帳２１、２３を一冊ずつ分離するゲートローラ、１７、２５は新規通帳２１、２３を一冊ずつ分離し、通帳発行搬送路７、８まで搬送するフィードローラ、１９、２６は新規通帳２１、２３を一冊ずつ分離し、ゲートローラ１８、２４及びフィードローラ１７、２５の通帳排出口まで繰出すピックアップローラである。
【００１６】
２０、２７はスタックされた新規通帳２１、２３の反り・たわみを抑制し、ピックアップローラ１９、２６と新規通帳２１、２３の表紙に、一冊分離するのに最適な摩擦力を与えるウエイトである。また、印字部１０、光学読取部１１、磁気データ読み書き部２２、頁替部１２は主搬送路３に設けられ、通帳発行部１３と通帳退避路４及び回収箱５は主搬送路３に接続される。
【００１７】
上記の構成における動作を以下、説明する。
取引を行なう利用者等によって取引通帳１が通帳挿入口２から挿入されると、搬送ローラ１６、２７〜３２を回転駆動し挿入された取引通帳１を吸入する。取引通帳１は主搬送路３を順次搬送され、磁気データ読み書き部２２により磁気データ情報の磁気記録の読取／書込が行われ、光学読取部１１では頁情報等の情報の光学的読取が行われ、印字部１０では所定の情報内容が印字される。
【００１８】
上記処理において、光学読取部１１で読み取った頁情報が印字処理を行う頁と異なる場合、又は、所定の印字が印字中の頁で終了しない場合は、頁替部１２により頁替（頁捲り）処理を行い、処理する頁を開き継続して所定の印字処理を行う。通常は印字処理終了後、磁気データに新情報の書込が行われ、搬送ローラ１６、２７〜３２の逆回転駆動により、主搬送路３を後路搬送され、挿入口２から取引通帳１がエンドユーザに返却されるが、所定の印字が挿入された取引通帳１で終了しない場合（全頁印字完了時）は、以下の動作により新規通帳２１又は２３が発行される。
【００１９】
エンドユーザにより挿入された取引通帳１で所定の印字が終了しない時、すなわち、印字することのできる頁が無くなった時は、図示しない上位装置にエンドユーザの顧客情報及び全頁印字完了・通帳種類の情報を送信する。上位装置には、高剛性通帳ホッパ１４および低剛性通帳ホッパ１５にスタックする新規通帳２１、２３の種別情報が事前に登録してあり、新規発行されるべき通帳がいずれのホッパに格納された通帳であるのか、通帳発行モジュール１が搭載された自動取引装置に対して指示を送信する。
【００２０】
通帳発行モジュール１では、磁気データ読み書き部２２により全頁印字完了時の印字情報等を旧通帳の磁気データ部に書き込む。上位装置からの、いずれのホッパ（１４、または１５）から新規通帳発行を行うかの指示を受信後、搬送ローラ１６、２７〜３２の逆回転駆動により、挿入口２から取引通帳１をエンドユーザに返却する。この時、エンドユーザに新規通帳発行のアナウンスを行い、新規通帳の取り忘れを防止する。
【００２１】
そして上記搬送ローラ１６、２７〜３２の逆回転駆動と同時に上位装置から指示されたホッパ１４又は１５から新規通帳２１又は２３を一冊分離し、通帳発行搬送路７又は８を通過して、搬送路３まで搬送する。印字部１０にてエンドユーザの顧客情報と取引通帳１に印字できなかった印字情報を印字処理し、磁気データ読み書き部２２により、印字情報等の新情報を磁気データに書込後、搬送ローラ１６、２７〜３２の逆回転駆動により主搬送路３を後路搬送し、挿入口２から新規通帳２１又は２３をエンドユーザに返却する。その後、全てのゲート手段を初期状態に戻す。
【００２２】
上記通帳発行動作の処理手順を図２のフローチャートで更に詳細に説明する。
挿入口より旧通帳を挿入すると（Ｓ２００）、所定の位置まで搬送路上を搬送され（Ｓ２０１）、磁気データの読取が行なわれる（Ｓ２０２）。さらに光学的な読取処理によって印字済行が認識される（Ｓ２０３）。この認識結果によっては、必要に応じて改頁処理が行なわれる。そして所定の頁に印字を行い（Ｓ２０４）、印字すべき情報が全て印字されると（Ｓ２０５）、印字情報等の新たな情報が磁気ストライプに書き込まれ（Ｓ２０６）、通帳は排出されて（Ｓ２０７）処理が終了する（Ｓ２０８）。また、印字が完了する前に最終行まで印字された場合（Ｓ２０９）、印字されていない頁が残っていれば頁替えを行い（Ｓ２１０、Ｓ２１１）、印字すべき残りの情報を印字する。
【００２３】
印字が完了する前に全ての頁が印字されてしまった場合、その通帳を排出し（Ｓ２１０、Ｓ２１２）、Ｓ２０２で取得した磁気データを基に新たに発行すべき新規通帳が格納されたホッパから新規通帳を繰出し（Ｓ２１３）、印字部へ搬送して（Ｓ２１４）、残りの印字すべき情報を新規通帳へ印字する（Ｓ２１５）。このとき、必要に応じて改頁等の処理が行なわれる。印字すべき情報が全て印字されると、印字情報等の新たな情報が新規通帳の磁気ストライプに書き込まれ（Ｓ２１６）、新規通帳は排出されて（Ｓ２１７）処理は終了する（Ｓ２１８）。
【００２４】
図３は本実施例における通帳発行モジュールの制御機構を図示したものである。
制御部１０１は各制御機構部（１０２〜１０９）と信号線１１０にて相互に接続されて装置全体の制御を行なう他、上位装置１２０と通信して所定の情報をやりとりする。本構成において特徴的なのは、通帳種別判定部１０２と通帳種別選択部１０９の存在であり、通帳種別判定部１０２は挿入された旧通帳の種別（本実施例では高剛性通帳であるか、あるいは、低剛性通帳であるか）を判定する。この判定結果に基き、通帳種別選択部１０９は新規発行すべき通帳の種別を選択し、通帳発行機構部１０８はその種別に応じた発行処理を行なう。
【００２５】
なお、上記の通帳種別の判定にあたっては、通帳に記録された磁気データや光学データの読取、あるいは、通帳サイズ等の特徴データから種別を判定してもよい。また、この特徴データは上位装置に予め記録させておいてもよいし、通帳発行モジュール（もしくは通帳発行モジュールを搭載した自動取引装置）内部に予め記録させておいてもよい。
【００２６】
なお、図１において通帳退避路４及び回収箱５は取り忘れ通帳を回収する為設けている。上記実施例において、処理すべき通帳がホッパ１５に格納された剛性の小さい通帳であれば、エンドユーザから挿入された取引通帳１を一時退避させて、先に新規通帳２３の発行処理を行い、その後、取引通帳１を排出する処理手順も可能である。
【産業上の利用可能性】
【００２７】
通帳発行がサポートできなかった面外変形によるたわみ力（剛性）が大きい通帳の通帳発行サポート可能にすることは、通帳発行モジュールの市場（特に海外市場）のニーズであり、本発明の産業上の利用可能性は高い。
【図面の簡単な説明】
【００２８】
【図１】本発明の第１の実施例を示す図である。
【図２】本発明の第１の実施例を示すフローチャートある。
【図３】本発明の第１の実施例を示す図である。
【符号の説明】
【００２９】
１・・・取引通帳、２・・・挿入口、３・・・主搬送路、４・・・通帳退避路、５・・・回収箱、６・・・ゲート、９・・・ゲート、７・・・通帳発行搬送路、８・・・通帳発行搬送路、１０・・・印字部、１１・・・光学読取部、１２・・・頁替部、１３・・・通帳発行部、１４・・・ホッパ、１５・・・ホッパ、１６・・・搬送ローラ、２７〜３４・・・搬送ローラ、１７・・・フィードローラ、２５・・・フィードローラ、１８・・・ゲートローラ、２４・・・ゲートローラ、１９・・・ピックアップローラ、２６・・・ピックアップローラ、２０・・・ウエイト、２７・・・ウエイト、２１・・・新規通帳、２３・・・新規通帳、２２・・・磁気データ読書き部
【図１】
0004708814.tif 000002
【図２】
0004708814.tif 000003
【図３】
0004708814.tif 000004